(57)【要約】【課題】複数の紙葉類を束ねた小束を複数束ねた大束に帯封する機構が動作中であることを確実に認識できる大束帯封機を提供する。【解決手段】帯封機構部４への大束１１の出し入れのためにオペレータが開口部３に手を差し入れることが可能な状態である場合は、帯封機構部制御装置は、投光装置８の青色ＬＥＤに投光させる。投光装置８の青色ＬＥＤの青色光の投光により、被投光面９がオペレータに青色に見える。帯封機構部４への大束１１の出し入れのためにオペレータが開口部３に手を差し入れることが不可能な状態である場合は、帯封機構部制御装置は、表示部７に帯封機構部が動作状態にあることを表示させ、センサ１０が手や大束１１を検知する動作状態にするとともに、投光装置８の赤色ＬＥＤに投光させる。【選択図】図１
2015171903.tif 000002
【特許請求の範囲】
【請求項１】
複数の紙葉類を束ねた小束を複数束ねた大束に帯封を行う大束帯封機であって、
前記大束帯封機は、前記大束を帯封する機構部を含む筐体を備え、
前記筐体は、
前記機構部へ前記大束を出し入れするための開口部と、
可視光を投光する投光装置と
を備え、
前記開口部は、前記投光装置により投光された可視光によって照らされる被投光面を備え、
前記投光装置は、前記機構部の動作状況に応じて可視光を投光する大束帯封機。
【請求項２】
前記投光装置は、前記機構部の動作状況に応じて異なる色の可視光を投光する請求項１に記載の大束帯封機。
【発明の詳細な説明】
【技術分野】
【０００１】
この発明は、大束帯封機に関する。
【背景技術】
【０００２】
大量の紙幣をまとめるには、通常、１００枚の紙幣を帯で施封して１つの札束（小束）とし、この小束を複数束ねて大束としてさらに帯で施封する。大束を帯で施封するには、大束に対して紙幣の長辺方向に横帯を巻いた後、紙幣の短辺方向に縦帯を巻くことにより行われる。この動作を行うには、帯を供給しながら大束を回転させる動作が必要である。そのため、大束帯封機の帯封を行う機構には、回転動作等を行う機構部が含まれる。帯封を行う機構部の動作中にオペレータが大束を出し入れしようとして手を入れると危険なため、帯封を行う機構の入り口である開口部に各種センサを用いた安全装置を設けるとともに、帯封を行う機構の動作状況を示す表示部を設けることが一般に行われている。
【０００３】
特許文献１には、大束の帯封を行う機構の内部で大束を回転させて帯で施封する大束帯封機が記載されている。この大束帯封機では、表示部の表示やランプによって、大束の出し入れのために開口部に手を入れることが可能であるか否かを表示することができる。
【先行技術文献】
【特許文献】
【０００４】
【特許文献１】特開２０１０−２４７８４４号公報
【発明の概要】
【発明が解決しようとする課題】
【０００５】
しかしながら、一般的に表示部は大束帯封機の筐体に対して小さく、オペレータは表示部を常時注視しているとは限らないため、大束帯封機が動作中であり、手を入れてはいけない時にも、表示部の表示に気づかずに開口部に手を入れてしまうことがあった。この場合、安全装置により、帯封を行う機構が停止するので、再度帯封を行う機構を動作させて帯封をやり直すための操作が必要となり、帯封作業の効率が悪化するという問題点があった。
【０００６】
この発明はこのような問題を解決するためになされたものであり、複数の紙葉類を束ねた小束を複数束ねた大束に帯封する機構が動作中であることを確実に認識できる大束帯封機を提供することを目的とする。
【課題を解決するための手段】
【０００７】
この発明に係る大束帯封機は、複数の紙葉類を束ねた小束を複数束ねた大束に帯封を行う大束帯封機であって、大束帯封機は、大束を帯封する機構部を含む筐体を備え、筐体は、機構部へ大束を出し入れするための開口部と、可視光を投光する投光装置とを備え、開口部は、投光装置により投光された可視光によって照らされる被投光面を備え、投光装置は、機構部の動作状況に応じて可視光を投光する。
投光装置は、機構部の動作状況に応じて異なる色の可視光を投光してもよい。
【発明の効果】
【０００８】
この発明によれば、大束を帯封する機構部に大束を出し入れするための開口部と、可視光を投光する投光装置とを備え、投光装置により投光された可視光によって照らされる被投光面を開口部に設け、投光装置は、機構部の動作状況に応じて可視光を投光することで、小束を大束に帯封する機構部が動作中であることを確実に認識できる。
【図面の簡単な説明】
【０００９】
【図１】この発明の実施の形態に係る大束帯封機の概略図である。
【発明を実施するための形態】
【００１０】
以下、この発明の実施の形態を添付図面に基づいて説明する。
この発明の実施の形態に係る大束帯封機の構成を図１に示す。大束帯封機１は筐体２を備え、筐体２の前面には、複数の紙幣を束ねた小束５を複数束ねた大束１１を出し入れするための開口部３が設けられている。筐体２の内部には、大束１１に帯封を行うための機構部である帯封機構部４が設けられていて、帯封する大束１１をオペレータの手によって帯封機構部４にセットすることができる。筐体２には、開口部３の下方に、大束帯封機１を操作するための各種スイッチ類が設けられた操作盤６が設けられている。操作盤６には、大束帯封機の動作状態や、ユーザによる操作盤６の操作内容を表示するための液晶パネルやランプである表示部７が設けられている。筐体２には、開口部３の上方に、複数の青色ＬＥＤと複数の赤色ＬＥＤとが一列に配置された投光装置８が設けられている。投光装置８は、開口部３の下端に投光装置８と対向するように設けられた、表示部７よりも広い被投光面９に青色ＬＥＤと赤色ＬＥＤとの光を投光するように設けられている。筐体２には、開口部３の上下面にあたる位置に、開口部３にオペレータが手や大束１１を差し入れたことを検知するためのセンサ１０が設けられている。操作盤６と表示部７と投光装置８とセンサ１０とは、帯封機構部４の内部に設けられている図示しない帯封機構部制御装置に電気的に接続されている。
【００１１】
次に、この発明の実施の形態に係る大束帯封機の動作を説明する。
帯封機構部４が停止しており、帯封機構部４への大束１１の出し入れのためにオペレータが開口部３に手を差し入れることが可能な状態である場合は、図示しない帯封機構部制御装置は、表示部７に帯封機構部が停止状態にあることを表示させ、さらに投光装置８の青色ＬＥＤに投光させる。投光装置８の青色ＬＥＤの青色光の投光により、被投光面９がオペレータに青色に見える。表示部７の表示に加えて、被投光面９が青色に見えることで、オペレータは、大束１１の出し入れを行うために開口部３に手を挿入することが可能であることを確実に認識できる。
【００１２】
帯封機構部４が動作しており、帯封機構部４への大束１１の出し入れのためにオペレータが開口部３に手を差し入れることが不可能な状態である場合は、図示しない帯封機構部制御装置は、表示部７に帯封機構部が動作状態にあることを表示させ、センサ１０が手や大束１１を検知する動作状態にするとともに、投光装置８の赤色ＬＥＤに投光させる。投光装置８の赤色ＬＥＤの赤色光の投光により、被投光面９がオペレータに赤色に見える。表示部７の表示に加えて、被投光面９が赤色に見えることで、オペレータは、帯封機構部４への大束１１の出し入れを行うために開口部３へ手を差し入れることが不可能であることを確実に認識できる。万一オペレータが誤って開口部３へ手などの物体を差し入れてしまった場合は、センサ１０が手や大束１１を検知し、帯封機構部制御装置が帯封機構部４を停止させることで、オペレータの安全を確保する。
【００１３】
このように、小束５を大束１１に帯封する帯封機構部４に大束１１を出し入れするための開口部３と、可視光を投光する投光装置８とを備え、投光装置８により投光された可視光によって照らされる被投光面９を備えた大束帯封機１の投光装置８は、帯封機構部４の動作状況に応じて可視光を投光することで、帯封機構部４が動作中であることを確実に認識できる。
【００１４】
この実施の形態では、投光装置８は青色ＬＥＤと赤色ＬＥＤとを備えていたが、これに限定しなくてもよい。例えば、ＬＥＤの色を緑色や橙色のように、可視光の範囲で自由に選択してよい。また、赤色ＬＥＤのみを設けて、帯封機構部４への大束１１の出し入れのために開口部３に手を差し入れることが不可能な状態にのみ赤色ＬＥＤから投光して被投光面９を赤く照らしてもよい。逆に、青色ＬＥＤのみを設けて、開口部３へ手を差し入れることが可能な状態にのみ青色ＬＥＤから投光して被投光面９を青く照らしてもよい。また、ＬＥＤの代わりに、白熱電球や蛍光灯の光をカラーフィルタなどで着色して用いてもよい。さらにこの実施の形態では投光装置８を筐体２の上側に設け、被投光面９を開口部３の下側に設けていたが、被投光面９が投光装置８からの光によって照らされることができれば、他の位置に設けてもよい。例えば、投光装置８を開口部３の下方に設け、対向する開口部３の上方に被投光面９を設けてもよいし、投光装置８を開口部３の一方の側面に設け、対向する開口部３のもう一方の側面に被投光面９を設けてもよい。
【００１５】
この実施の形態では、表示部７は帯封機構部が動作状態にあることを表示していたが、表示しなくともよい。また、表示部７は設けられていなくてもよい。
【００１６】
この実施の形態では、大束帯封機１は紙幣を帯封していたが、紙幣以外の証券等の紙の券を帯封してもよい。
【符号の説明】
【００１７】
１  大束帯封機、２、筐体、３  開口部、４、帯封機構部（機構部）、８  投光装置、９  被投光面、１１  大束。
【図１】
2015171903.tif 000003